(57)【要約】【課題】カード収納部内に水が浸入することを確実に防止できるカードケースを提供する。【解決手段】袋状のカード収納部６のカード出し入れ口１０の内周面に、カード出し入れ口１０を開閉自在に密閉するチャック１３が形成される。【選択図】図１
0003169219.tif 000002
【実用新案登録請求の範囲】
【請求項１】
袋状のカード収納部のカード出し入れ口の内周面に、カード出し入れ口を開閉自在に密閉するチャックが形成されたことを特徴とするカードケース。
【請求項２】
前記袋状のカード収納部が、互いの周縁部同士を接合した第一シート及び第二シートで構成され、第一シートのカード出し入れ口側の縁部が第二シートのカード出し入れ口側の縁部よりも突出し、該突出部分で取付対象物に取り付けられる被取付部が構成されたことを特徴とする請求項１に記載のカードケース。
【考案の詳細な説明】
【技術分野】
【０００１】
本考案は、カードを収納するカードケースに関する。
【背景技術】
【０００２】
従来、名札、名刺、ＩＣカード等のカードを収納し、首に掛ける等して用いられるカードケースが利用されている。特許文献１には、軟質オレフィン系樹脂シートからなるホルダー本体に、カード挿入口を有する名札カード収容部と、名札カード収容部の名札カード挿入口を覆うカバー体が設けられた名札装置が開示されている。
【先行技術文献】
【特許文献】
【０００３】
【特許文献１】実用新案登録第３１０３６７５号公報
【考案の概要】
【考案が解決しようとする課題】
【０００４】
ところで、特許文献１のカバー体は名札カード挿入口を密閉するものではない。このため、名札カード挿入口から名札カード収容部内に水が浸入し、名札カード収容部に収納したカードが水に濡れる恐れがある。前記名札カード収容部内への水の浸入を防ぐには、例えば名札カード収容部を構成する名札カード収容シートの外面とこれに対向するカバー体の面に両者を水密的に係合するためのチャックを形成することが考えられる。しかし、特許文献１のカバー体はホルダー本体において名札カード挿入口よりも上方箇所に接合されているため、このようなチャックを形成したとしても、カバー体の上端部とホルダー本体の間から、名札カード挿入口側に水が浸入する恐れがある。
【０００５】
本考案は上記事情に鑑みてなされたものであって、カード収納部内に水が浸入することを確実に防止できるカードケースを提供することを課題とする。
【課題を解決するための手段】
【０００６】
上記課題を解決するために本考案のカードケースは、袋状のカード収納部６のカード出し入れ口１０の内周面に、カード出し入れ口１０を開閉自在に密閉するチャック１３が形成されたことを特徴とする。この構成により、チャック１３でカード出し入れ口１０を密閉して、カード収納部６内に水が浸入することを防止できる。
【０００７】
また、前記袋状のカード収納部６が、互いの周縁部同士を接合した第一シート２及び第二シート３で構成され、第一シート２のカード出し入れ口１０側の縁部が第二シート３のカード出し入れ口１０側の縁部よりも突出し、該突出部分で取付対象物に取り付けられる被取付部４が構成されることが好ましい。この構成により、第一シート２の被取付部４と、第二シート３のカード出し入れ口１０側の端部の夫々を指で摘まんで両者を離間させることで、チャック１３により密閉されたカード出し入れ口１０を開くことができる。この場合、被取付部４は第二シート３のカード出し入れ口１０側の縁部よりも突出しているため、簡単に指で摘まむことができ、これにより簡単にチャック１３を開くことができる。
【考案の効果】
【０００８】
請求項１に係る考案にあっては、チャックでカード出し入れ口を密閉することができ、カード収納部内に水が浸入することを防止できる。
【０００９】
また、請求項２に係る考案にあっては、前記効果に加えて、第一シートの被取付部を指で摘まんで簡単にチャックを開くことができる。また、この被取付部はカードケースを取付対象物に取り付けるために用いられるものであるため、第一シートに別途指で摘まむ部分を設ける必要がなく、製造コストを削減できて小形のカードケースにすることができる。
【図面の簡単な説明】
【００１０】
【図１】本実施形態のカードケースのカードを入れた状態における背面図である。
【図２】同上のカードを入れたカードケースの側断面図である。
【考案を実施するための形態】
【００１１】
図１及び図２に示される本実施形態のカードケース１は、被取付部４をネックストラップや衣服等の取付対象物に取り付けることで、吊り下げ状態で用いられるものである。
【００１２】
カードケース１は第一シート２及び第二シート３を備えている。第一シート２及び第二シート３は重ね合わされ、両シート２，３の周縁部（上縁部を除く）同士は溶着により接合されている。
【００１３】
カードケース１は、名札、名刺、ＩＣカード等の矩形状のカード５を収納するためのカード収納部６を備えている。カード収納部６は前記第一シート２及び第二シート３で構成されており、左右に長い略矩形状で且つ扁平な袋状に形成されている。カード収納部６の上端部には、上方に開口するカード出し入れ口１０が形成されており、カード収納部６内にはカード出し入れ口１０を介してカード５を出し入れできるようになっている。
【００１４】
通常、カードケース１は、第一シート２の第二シート３と反対側を向く外面が前方に向けられた状態で利用される。すなわち、第一シート２はカードケース１の前面を構成し、第二シート３はカードケース１の後面を構成する。第一シート２及び第二シート３は共に合成樹脂製であって透明であり、カードケース１の前側及び後側の双方からカード収納部６に収納されたカード５を視認できるようになっている。
【００１５】
図２のように、第一シート２は、左右に長い略矩形状の表面シート７と、表面シート７の後面上端部に溶着された帯状シート８で構成されている。各シート７，８は、エチレン−酢酸ビニル共重合体（ＥＶＡ）で製造された中間層の両面にポリプロピレン（ＰＰ）で製造された保護層を積層することにより形成されており、三層構造の軟質樹脂シートである。
【００１６】
帯状シート８は表面シート７の上縁に沿って表面シート７の左右方向の全長に亘って設けられており、帯状シート８とこれに重ねた表面シート７の上端部とで下方部よりも厚い厚肉部１２が構成されている。
【００１７】
第二シート３は、左右に長く且つ第一シート２よりも背が低い略矩形状のシートであり、表面シート７や帯状シート８と同じ三層構造の軟質樹脂シートで構成されている。第二シート３は、上縁を除く外周縁部（すなわち、両側縁及び下縁）が全長に亘って第一シート２の対応する外周縁部に溶着されており、これにより第一シート２と第二シート３の間に形成されたカード収納用の隙間１１は、カード出し入れ口１０側の除く三方が封止されている。
【００１８】
第二シート３は、第一シート２の上縁部（厚肉部１２の上部）が、第二シート３の上縁部よりも上方に突出するように第一シート２に接合されており、前記第一シート２の第二シート３よりも上方に突出した上縁部によって被取付部４が構成されている。
【００１９】
被取付部４の左右方向の中央部には、左右に長い被取付孔９が貫通形成されている。被取付孔９は、被取付部４を図示しないバンドやクリップを介して取付対象物に取り付けるため、あるいは被取付部４を取付対象物であるネックストラップに直接取り付けるために用いられる。
【００２０】
カード収納部６のカード出し入れ口１０の内周面には、カード出し入れ口１０を開閉自在に密閉するチャック１３がカード出し入れ口１０の上縁に沿って形成されている。
【００２１】
チャック１３は雌雄嵌合型で合成樹脂製のカード収納部６と一体に形成されたものであって、係合溝部１４と、係合溝部１４に着脱自在に係合する係合突条１５とで構成されている。本実施形態では、係合溝部１４が第一シート２の後面をなす帯状シート８の後面に形成されており、係合溝部１４は第一シート２の第二シート３に溶着された両側縁部間の全長に亘っている。また、係合突条１５は第二シート３の前面に形成されており、係合突条１５は第二シート３の第一シート２溶着された両側縁部間の全長に亘っている。
【００２２】
カード収納部６にカード５を収納する場合、チャック１３を開いたカード出し入れ口１０からカード収納部６内の隙間１１にカード５を挿入し、この後、係合溝部１４に係合突条１５を押し込んでチャック１３を閉じ、これによってカード出し入れ口１０を密閉し、カード収納部６内の隙間１１を密封状態とする。
【００２３】
逆にカード収納部６内からカード５を取り出すには、例えば第一シート２の被取付部４及び第二シート３の上端部の夫々を指で摘まんで両者を前後方向に離間させ、これにより係合溝部１４から係合突条１５を外してカード出し入れ口１０を開く。そして、このカード出し入れ口１０を介してカード収納部６内のカード５を取り出す。なお、開いたチャック１３は、再び閉じてカード収納部６を再密封することができる。
【００２４】
以上説明したカードケース１は、袋状のカード収納部６のカード出し入れ口１０の内周面に形成されたチャック１３により、カード出し入れ口１０を密閉することができる。このため、カードケース１に水がかかる等した場合に、カード出し入れ口１０からカード収納部６内に水が浸入してカード５が濡れることを防止できる。
【００２５】
また、本実施形態では、袋状のカード収納部６が、互いの周縁部同士を接合した第一シート２及び第二シート３で構成され、第一シート２のカード出し入れ口１０側の縁部が第二シート３のカード出し入れ口１０側の縁部よりも突出し、該突出部分でネックストラップ等の取付対象物に取り付けられる被取付部４が構成されている。この構成により、前述のように第一シート２の被取付部４と第一シート２のカード出し入れ口１０側の端部（上端部）の夫々を指で摘まんで両者を離間させて、チャック１３により密閉されたカード出し入れ口１０を開くことができる。この場合、被取付部４は第二シート３のカード出し入れ口１０側の縁部よりも突出しているため、簡単に指で摘まむことができ、これにより簡単にチャック１３を開くことができる。
【００２６】
また、前記被取付部４はカードケース１を取付対象物に取り付けるために用いられるものであるため、第一シート２に別途指で摘まむ部分を設ける必要がなく、製造コストを削減できて小形のカードケース１にすることができる。また、本実施形態の被取付部４は、帯状シート８と表面シート７の上端部とでなす厚肉部１２の一部で構成されているため、取付対象物に取り付けられる被取付部４の強度を高めることができる。
【００２７】
なお、本実施形態では、カード出し入れ口１０をカード収納部６の上端部に形成したが、カード収納部６の側端部等にカード出し入れ口１０を形成し、このカード出し入れ口１０の内周面にチャック１３を形成しても構わない。また、本実施形態では、第一シート２に雌のチャック部をなす係合溝部１４を形成すると共に第二シート３に雄のチャック部をなす係合突条１５を形成したが、第一シート２に係合突条１５を形成すると共に第二シート３に係合溝部１４を形成してもよい。また、本実施形態では、第一シート２及び第二シート３の周縁部同士を溶着により接合したが、接着により接合しても構わない。また、第一シート２及び第二シート３を透明にしたが、半透明であってもよい。また、本実施形態では、第一シート２を、表面シート７と、表面シート７に溶着した帯状シート８で構成したが、一枚のシートで構成してもよい。また、カードケース１の形状は矩形状に限定されるものではない。また、この他、本考案の主旨を逸脱しない範囲で適宜設計変更可能である。
【符号の説明】
【００２８】
１  カードケース
２  第一シート
３  第二シート
４  被取付部
６  カード収納部
１０  カード出し入れ口
１３  チャック
【図１】
0003169219.tif 000003
【図２】
0003169219.tif 000004